(57)【特許請求の範囲】
【請求項１】
一つの建物についてBEMSにより得られた各種データを処理して、
当該建物についての複数箇所の所望の計測場所における任意の期間の温度を捕捉し、
前記温度から前記計測場所における平均温度を算出し、
前記平均温度を、クールビズの達成に寄与する達成温度領域と、クールビズに準ずる未達成温度領域と、クールビズの達成を阻害している阻害温度領域とに区分し、
前記それぞれの領域に存する測定場所の数の割合を算出し、前記達成温度領域に含まれる測定場所数の達成領域割合をＸ（％）と、前記未達成温度領域に含まれる測定場所数の未達成領域割合をＹ(％)と、前記阻害温度領域に含まれる測定場所数の阻害領域割合をＺ(％)とし、
前記達成領域割合Ｘと未達成領域割合Ｙ、阻害領域割合Ｚのそれぞれに任意に定めたクールビズ係数α1、α2、α3を乗じて、クールビズ評価値Ｘc（＝Ｘ×α1）、Ｙc（＝Ｙ×α2）、Ｚc（＝Ｚ×α3）を求め、
これらクールビズ評価値Ｘc、Ｙc、Ｚcを
Ｃ：クールビズ率 ＝ （Ｘc＋Ｙc＋Ｚc）／10 （式１）
に代入してクールビズ率Ｃを求め、
前記クールビズ率Ｃを縦軸に、前記期間を横軸にしたクールビズ率−期間線図を作成し、該クールビズ率−期間線図から求められるクールビズ率の変遷に基づいて、クールビズの達成程度の指標に供することを特徴とするクールビズの達成評価方法。
【請求項２】
当該期間の前記クールビズ率−期間線図と前年同期間のクールビズ率−期間線図とを重畳させて、前記クールビズ率を前年同期間の値と比較することによりクールビズ率の変遷に基づいて、、クールビズの達成の程度を評価することを特徴とする請求項１に記載のクールビズの達成評価方法。
【請求項３】
前記クールビズ率−期間線図を複数の建物について作成して、これら複数の建物のそれぞれについてクールビズの達成程度を比較する指標に供することを特徴とする請求項１に記載のクールビズの達成評価方法。
【請求項４】
一つの建物についてBEMSにより得られた各種データを処理して、
当該建物についての所望の計測場所における一の期間の温度を捕捉し、
前記温度から前記計測場所における平均温度を算出し、
前記平均温度を、ウォームビズの達成に寄与する達成温度領域と、ウォームビズに準ずる未達成温度領域と、ウォームビズの達成を阻害している阻害温度領域とに区分し、
前記それぞれの領域に存する測定場所の数の割合を算出し、前記達成温度領域に含まれる測定場所数の達成領域割合をＸ（％）と、前記未達成温度領域に含まれる測定場所数の未達成領域割合をＹ(％)と、前記阻害温度領域に含まれる測定場所数の阻害領域割合をＺ(％)とし、
前記達成領域割合Ｘと未達成領域割合Ｙ、阻害領域割合Ｚのそれぞれに任意に定めたウォームビズ係数β1、β2、β3を乗じて、ウォームビズ評価値Ｘw（＝Ｘ×β1）、Ｙw（＝Ｙ×β2）、Ｚw（＝Ｚ×β3）を求め、
これらウォームビズ評価値Ｘw、Ｙw、Ｚwを
Ｗ：ウォームビズ率 ＝ （Ｘw＋Ｙw＋Ｚw）／10 （式２）
に代入してウォームビズ率Ｗを求め、
前記ウォームビズ率Ｗを縦軸に、前記期間を横軸にしたウォームビズ率−期間線図を作成し、該ウォームビズ率−期間線図から求められるウォームビズ率の変遷に基づいて、ウォームビズの達成程度の指標に供することを特徴とするウォームビズの達成評価方法。
【請求項５】
当該期間の前記ウォームビズ率−期間線図と前年同期間のウォームビズ率−期間線図とを重畳させて、前記ウォームビズ率を前年同期間の値と比較することによりウォームビズ率の変遷に基づいて、ウォームビズの達成の程度を評価することを特徴とする請求項４記載のウォームビズの達成評価方法。
【請求項６】
前記ウォームビズ率−期間線図を複数の建物について作成して、これら複数の建物のそれぞれについてウォームビズの達成程度を比較する指標に供することを特徴とする請求項４に記載のウォームビズの達成評価方法。
【発明の詳細な説明】
【技術分野】
【０００１】
この発明は、冷房時期におけるクールビズ、または暖房時期におけるウォームビズの達成の程度を評価し、対象となる建物の空調運転の良否を判断して、建物のエネルギー消費の適否の指針を提供するクールビズまたはウォームビズの達成評価方法に関する。
【背景技術】
【０００２】
地球環境問題の深刻化は、建物における省エネルギーやエネルギー効率の最適化を推進することを要求している。エネルギー削減を図る上において、種々のエネルギー効率の向上を図ることが要求される。このための手法として、ビルエネルギーマネジメントシステム（Building and Energy Management System、以下「BEMS」と略記する。）が導入され、建物の施設内における空調設備や照明設備等を対象として、室内環境や設備の状況を監視し、それらの運転制御を行うことによって、室内環境とエネルギー消費状況の最適化を図ることで、エネルギー削減が図られている。
【０００３】
一方、地球環境改善のためには温室効果ガスの削減が急務であり、そのための方法としていわゆるクールビズの導入が図られている。これは、冷房時の室温を28℃に設定し、斯かる環境下で快適に過ごす工夫を組織や個人で行うようにしたものである。例えば、ノーネクタイやノージャケット等による快適に過ごせる服装を選択したり、窓辺に適宜な植物を配していわゆる緑のカーテンを配したりすることで、室温を28℃に設定した場合でも快適に過ごせるようにするものである。
【０００４】
他方、秋冬の室内温度を20℃程度に低く設定した環境として、この環境下で快適に過ごせるよう、例えば厚手のシャツや保温下着、膝掛けの利用などにより工夫しようとするウォームビズが導入されている。
【０００５】
ところで、前記BEMSを利用してエネルギーの適正化に寄与しようとする技術として、例えば、特許文献１には、建物で使用されるエネルギーの実績値を目標値以下にするためのビルエネルギー管理装置として、建物で使用されるエネルギーの現時点における実績値を入力し、入力された現時点の実績値と所定期間の目標値とを照合する照合手段と、照合手段による照合結果を月形式の累積グラフ、日形式の累積グラフまたは時間形式の累積グラフのいずれかで、前記所定期間の目標値に対する現時点の状況を表示部に表示させる表示制御手段と、を備えた構成が開示されている。
【０００６】
また、特許文献２には、業務用ビル等の施設におけるエネルギー消費を監視するエネルギー監視装置として、施設内でのエネルギー消費に関するエネルギー消費情報を表示手段に表示するエネルギー監視装置において、所定の計量区分でのエネルギー消費に関する前記エネルギー消費情報を表示する際に、該計量区分を選択するための選択画面であって、上位の階層の計量区分を下位の階層において所定の要素で分別することによって選択可能な計量区分を階層化し、該階層化した各計量区分を選択可能に階層表示した選択画面を前記表示手段に表示させる選択画面表示手段と、前記選択画面表示手段により表示された選択画面において所望の計量区分を選択する選択手段と、前記選択手段により選択された計量区分のエネルギー消費に関するエネルギー消費情報を前記表示手段に表示させるエネルギー消費情報表示手段と、を備えた構成が開示されている。
【０００７】
また、特許文献３には、施設内の多数の計測器からの膨大な計測データに基づき所望の評価を行うためのグラフ表示が容易に行えるエネルギー管理システムのためのグラフ表示装置として、被計測対象に対して設けられた多数の計測器から得られる計測データに基づいて所望の評価を行うためのグラフ表示を入力手段と表示手段を使用してオペレータと対話的に行う施設内のエネルギー管理を行うエネルギー管理システムのためのグラフ表示装置であって、各軸にそれぞれ計測名称又は時間軸が規定された所望の評価を行うための予め作成された多種の元グラフを格納した元グラフ格納手段と、上記各計測器から送られてくる計測データを蓄積して格納する計測データ蓄積格納手段と、上記元グラフ格納手段に格納されたグラフ一覧表を表示してオペレータに使用するグラフの選定を促す手段と、オペレータにより選定された元グラフの計測名称に関する上記計測データ蓄積手段に格納された計測データを表示しオペレータに上記元グラフの各軸に設定する計測データの選定を促す手段と、上記選定された元グラフおよび計測データによるグラフ表示の実行の指示をオペレータに促しこれに対する指示に従って表示を行うグラフ表示手段と、を備えた構成が開示されている。
【先行技術文献】
【特許文献】
【０００８】
【特許文献１】特開２００８−２３６９０４号公報
【特許文献２】特開２００７−１９９７８３号公報
【特許文献３】特開２００５−２５９０６２号公報
【発明の概要】
【発明が解決しようとする課題】
【０００９】
ところで、ビルディング（以下「ビル」と略記する。）の管理を専門に行うビル管理会社等では複数のビル等の建物について管理を行っており、それぞれの建物について室内環境とエネルギー効率の最適化を図ることが行われている。この種の最適化のために、例えば特許文献１に記載されたエネルギー管理装置では、所定期間の目標値が設定され、この目標値と実績値とを照合した照合結果を月形式の累積グラフ等で表示させることが行われている。
【００１０】
他方、ビルの室内環境等の最適化を図るためには、それぞれの室について個別にそれぞれの室内環境等を把握する必要がある。また、ビルの立地等によっても室内環境等が異なるから、複数の建物の管理を行っているビル管理会社等は、個別のビル毎についてそれぞれの室の室内環境等を把握することが必要となる。そして、把握した室内環境等のデータをもとにして、室内環境やエネルギー効率の最適化を図るための空調設備や照明設備等の運転の調整を行うことになる。
【００１１】
ビル管理会社等は、把握した室内環境やエネルギー効率の最適化を図るための空調設備等の運転調整について、建物の所有者に対して説明する。このとき、所有者の理解が容易となるような資料を必要とする。
【００１２】
建物の所有者にエネルギー効率の適否について説明を行う際に、特に、クールビズあるいはウォームビズを参照しながら行うことで、エネルギー効率の適否の判断基準となる一つのしきい値を示すことができるから、エネルギー効率の向上させるための対応策をより簡潔に理解することができる。
【００１３】
そこで、この発明は、多くの建物にBEMSが導入されていることに着目し、このBEMSで得られる室内環境等の各種の計測データを基にして、当該建物におけるクルールビズあるいはウォームビズの達成の程度を容易に把握できて、当該建物についてのエネルギー効率の改善についての提案に供するのに便利となるクールビズまたはウォームビズの達成評価方法を提供することを目的としている。
【課題を解決するための手段】
【００１４】
前記目的を達成するための技術的手段として、この発明に係るクールビズの達成評価方法は、一つの建物についてBEMSにより得られた各種データを処理して、当該建物についての複数箇所の所望の計測場所における任意の期間の温度を捕捉し、前記温度から前記計測場所における平均温度を算出し、前記平均温度を、クールビズの達成に寄与する達成温度領域と、クールビズに準ずる未達成温度領域と、クールビズの達成を阻害している阻害温度領域とに区分し、前記それぞれの領域に存する測定場所の数の割合を算出し、前記達成温度領域に含まれる測定場所数の達成領域割合をＸ（％）と、前記未達成温度領域に含まれる測定場所数の未達成領域割合をＹ(％)と、前記阻害温度領域に含まれる測定場所数の阻害領域割合をＺ(％)とし、前記達成領域割合Ｘと未達成領域割合Ｙ、阻害領域割合Ｚのそれぞれに任意に定めたクールビズ係数α1、α2、α3を乗じて、クールビズ評価値Ｘc（＝Ｘ×α1）、Ｙc（＝Ｙ×α2）、Ｚc（＝Ｚ×α3）を求め、これらクールビズ評価値Ｘc、Ｙc、Ｚcを
Ｃ：クールビズ率 ＝ （Ｘc＋Ｙc＋Ｚc）／10             （式１）
に代入してクールビズ率Ｃを求め、前記クールビズ率Ｃを縦軸に、前記期間を横軸にしたクールビズ率−期間線図を作成し、該クールビズ率−期間線図から求められるクールビズ率の変遷に基づいて、クールビズの達成程度の指標に供することを特徴としている。
【００１５】
前記クールビズ係数α1、α2、α3は任意に定めた数値を係数として扱うことで構わないが、その場合、前記達成領域割合Ｘに対するクールビズ係数α1を有利な数値と、未達成領域割合Ｙに対するクールビズ係数α2を中間の数値と、阻害領域割合Ｚに対するクールビズ係数α3を不利な数値として設定する。例えば、α1 ＝ 10に、α2 ＝ ５に、α3 ＝ ０に設定する。これにより、それぞれのクールビズ評価値は、
Ｘc ＝ Ｘ × α1 ＝ Ｘ×10
Ｙc ＝ Ｙ × α2＝ Ｙ × ５
Ｚc ＝ Ｚ × α3 ＝ Ｚ × ０ ＝ ０
として算出される。
これらクールビズ評価値Ｘc、Ｙc、Ｚcからクールビズ率Ｃを前記式１により算出するものである。
そして、上述のように求められたクールビズ率Ｃを縦軸に、前記期間を横軸にしたクールビズ率−期間線図を作成して、当該期間におけるクールビズ率Ｃの変遷を求める。このクールビズ率Ｃの変遷から、クールビズ率の達成状況の現状を把握する。
【００１６】
また、請求項２の発明に係るクールビズの達成評価方法は、当該期間の前記クールビズ率−期間線図と前年同期間のクールビズ率−期間線図とを重畳させて、前記クールビズ率を前年同期間の値と比較することによりクールビズ率の変遷に基づいて、クールビズの達成の程度を評価することを特徴としている。
【００１７】
クールビズの達成程度を把握する場合に、前年の同期間のクールビズ率Ｃと比較して判断しようとするものである。
【００１８】
また、請求項３の発明に係るクールビズの達成評価方法は、前記クールビズ率−期間線図を複数の建物について作成して、これら複数の建物のそれぞれについてクールビズの達成程度を比較する指標に供することを特徴としている。
【００１９】
クールビズ率Ｃの導入の際に、前記クールビズ係数を複数のビルに対して等しい値を用いることにより、これら複数の建物におけるクールビズの達成状況を比較でき、前記クールビズ率によりこれら複数の建物のクールビズの達成の客観的な評価に資することができる。
【００２０】
また、請求項４の発明に係るウォームビズの達成評価方法は、一つの建物についてBEMSにより得られた各種データを処理して、当該建物についての所望の計測場所における一の期間の温度を捕捉し、前記温度から前記計測場所における平均温度を算出し、前記平均温度を、ウォームビズの達成に寄与する達成温度領域と、ウォームビズに準ずる未達成温度領域と、ウォームビズの達成を阻害している阻害温度領域とに区分し、前記それぞれの領域に存する測定場所の数の割合を算出し、前記達成温度領域に含まれる測定場所数の達成領域割合をＸ（％）と、前記未達成温度領域に含まれる測定場所数の未達成領域割合をＹ(％)と、前記阻害温度領域に含まれる測定場所数の阻害領域割合をＺ(％)とし、前記達成領域割合Ｘと未達成領域割合Ｙ、阻害領域割合Ｚのそれぞれに任意に定めたウォームビズ係数β1、β2、β3を乗じて、ウォームビズ評価値Ｘw（＝Ｘ×β1）、Ｙw（＝Ｙ×β2）、Ｚw（＝Ｚ×β3）を求め、これらウォームビズ評価値Ｘw、Ｙw、Ｚwを
Ｗ：ウォームビズ率 ＝ （Ｘw＋Ｙw＋Ｚw）／10         （式２）
に代入してウォームビズ率Ｗを求め、前記ウォームビズ率Ｗを縦軸に、前記期間を横軸にしたウォームビズ率−期間線図を作成し、該ウォームビズ率−期間線図から求められるウォームビズ率の変遷に基づいて、ウォームビズの達成程度の指標に供することを特徴としている。
【００２１】
前記ウォームビズ係数β1、β2、β3は任意に定めた数値を係数として扱うことで構わないが、その場合、前記達成範囲Ｘに対するウォームビズ係数β1を有利な数値と、未達成範囲Ｙに対するウォームビズ係数β2を中間の数値と、阻害範囲Ｚに対するウォームビズ係数β3を不利な数値として設定する。例えば、β1 ＝ 10に、β2 ＝ ５に、β3 ＝ ０に設定する。これにより、それぞれのウォームビズ評価値は、
Ｘw ＝ Ｘ × β1 ＝ Ｘ × 10
Ｙw ＝ Ｙ × β2 ＝ Ｙ × ５
Ｚw ＝ Ｚ × β3 ＝ Ｚ × ０ ＝ ０
として算出される。
これらウォームビズ評価値Ｘw、Ｙw、Ｚwからウォームビズ率Ｗを前記式２により算出するものである。
そして、上述のように求められたウォームビズ率Wを縦軸に、前記期間を横軸にしたウォームビズ率−期間線図を作成して、当該期間におけるウォームビズ率Wの変遷を求める。このウォームビズ率Wの変遷から、ウォームビズ率の達成状況の現状を把握する。
【００２２】
また、請求項５の発明に係るウォームビズの達成評価方法は、当該期間の前記ウォームビズ率−期間線図と前年同期間のウォームビズ率−期間線図とを重畳させて、前記ウォームビズ率を前年同期間の値と比較することによりウォームビズ率の変遷に基づいて、ウォームビズの達成の程度を評価することを特徴としている。
【００２３】
ウォームビズの達成程度を把握する場合に、前年の同期間のウォームビズ率Ｗと比較して判断しようとするものである。
【００２４】
また、請求項６の発明に係るウォームビズの達成評価方法は、前記ウォームビズ率−期間線図を複数の建物について作成して、これら複数の建物のそれぞれについてウォームビズの達成程度を比較する指標に供することを特徴としている。
【００２５】
ウォームビズ率Ｃの導入の際に、前記ウォームビズ係数を複数のビルに対して等しい値を用いることにより、これら複数の建物におけるウォームビズの達成状況を比較でき、前記ウォームビズ率によりこれら複数の建物のウォームビズの達成の客観的な評価に資することができる。
【発明の効果】
【００２６】
この発明に係るクールビズの達成評価方法によれば、クールビズ率とした客観性を備えて数値により判断できるので、客観的な判断を行うことができる。また、クールビズ率−期間線図によって、当該建物のクールビズの達成の程度を視覚により確実で容易に、かつ、迅速に把握できる。これにより、当該建物のエネルギー効率を向上させる方策を施すことができる。
【００２７】
また、請求項２の発明に係るクールビズの達成評価方法によれば、クールビズに対する長期的な対応を把握でき、エネルギー効率の改善を確実に図ることができる。
【００２８】
また、請求項３の発明に係るクールビズの達成評価方法によれば、複数の建物間でのクールビズの達成状況を同時に把握できるので、該当する建物に関して、当該建物にとってより適したエネルギー効率を向上させる方策の検討に資することができる。
【００２９】
また、請求項４の発明に係るウォームビズの達成評価方法によれば、ウォームビズ率とした客観性を備えた数値により判断できるので、客観的な判断を行うことができる。また、ウォームビズ率−期間線図によって、当該建物のウォームビズの達成程度の把握を視覚によって、迅速、確実、かつ、容易に把握できる。これにより、当該建物のエネルギー効率を向上させる方策を施すことができる。
【００３０】
また、請求項５の発明に係るウォームビズの達成評価方法によれば、ウォームビズの導入についての評価を長期的に行い、エネルギー効率の改善により効果的に対応することができる。
【００３１】
また、請求項６の発明に係るウォームビズの達成評価方法によれば、複数の建物間でのウォームビズの達成状況を同時に把握できるので、該当する建物に関して、当該建物にとってより適したエネルギー効率を向上させる方策の検討に資することができる。
【図面の簡単な説明】
【００３２】
【図１】この発明に係るクールビズの達成評価方法に用いられる円グラフであり、図２に示す一覧表が得られた建物に関して、クールビズの達成温度領域と未達成温度領域、阻害温度領域のそれぞれに含まれる計測場所の割合を示す円グラフである。
【図２】この発明に係るクールビズの達成評価方法を実施するために、一つの建物について取得された温度を示す一覧表である。
【図３】過去３年間における同一期間のクールビズ率を比較する表であり、達成温度領域と未達成温度領域、阻害温度領域の割合とクールビズ率とを示している。
【図４】図３に示した達成温度領域と未達成温度領域、阻害温度領域に含まれる計測場所数の割合の変遷を示すグラフである。
【図５】図３に示したクールビズ率の変遷を示すクールビズ率−期間線図である。
【図６】この発明に係るウォームビズの達成評価方法を実施するために、一つの建物について取得された温度を示す一覧表である。
【図７】図６に示す一覧表が得られた建物に関して、ウォームビズの達成温度領域と未達成温度領域、阻害温度領域のそれぞれに含まれる計測場所の割合を示す円グラフである。
【発明を実施するための形態】
【００３３】
以下、図示した好ましい実施の形態に基づいて、この発明に係るクールビスまたはウォームビズの達成評価方法を具体的に説明する。
【００３４】
図１〜図５には、クールビズの達成評価方法に使用される図表等を示してある。図２は、任意のビルについての温度を計測した結果を示す表である。このビルは24階建てであり、各階を４つのゾーンに分割して２階を除いた92箇所の計測場所について平均温度と最高温度、最低温度、設定温度を示しているものである。このうちの平均温度が27.5℃以上がクールビズの達成温度領域であり、平均温度が26.5−27.5℃の範囲がクールビズの達成に準じる未達成温度領域、26.5℃以下がクールビズの達成を阻害する阻害温度領域である。なお、前記達成温度領域にある計測箇所を二重線の枠で表示し、阻害温度領域にある計測箇所を枠内に１本の斜線を描き、阻害温度領域にあってクールビズの達成にとって甚だ不都合であり、迅速に改善する必要がある25℃以下の計測箇所については枠内に交差させた２本の斜線を描いてある。
【００３５】
図１は図２に示したそれぞれの温度領域に含まれる計測箇所数の割合を表す円グラフであり、右上がりの斜線を描いた部分が達成温度領域にある計測箇所の達成領域割合Ｘを、左上がりの斜線を描いた部分が阻害温度領域にある計測箇所の阻害領域割合Ｚを、描画のない部分が未達成温度領域にある計測箇所の未達成領域割合Ｙを、それぞれ示しており、達成領域割合が36％、未達成領域割合が42％、阻害領域割合が22％となっている。
【００３６】
図３は、図１に示すビルについて計測した過去３年にわたる同期間のクールビズの実施状況を示す一覧表で、各年の７月と８月のデータであり、図２に示す一覧表は2010年７月のデータである。この一覧表に示された割合の変化を図４に示してあり、同図において縦軸に実施割合（％）を横軸に計測期間を示している。また、図５には前記クールビズ率Ｃの変遷を示しており、縦軸にクールビズ率Ｃを、横軸に計測期間を示した、クールビズ率−期間線図である。
【００３７】
前記クールビズ率Ｃは、
Ｃ：クールビズ率 ＝ （Ｘc＋Ｙc＋Ｚc）／10          （式１）
で求められる。
式１中のＸc、Ｙc、Ｚcはクールビズ評価値であり、前記実施割合（％）にクールビズ係数α1、α2、α3を乗じて求める。
【００３８】
前記クールビズ係数α1、α2、α3は、クールビズの達成の程度の指標となるクールビズ評価値を算出するための数値であり、任意に定めて構わないが、一つのビルについては一定であり、複数のビルにおけるクールビズ率の比較を行う場合には、当該ビル間のクールビズ率の比較に客観性を具備させるためには、これら複数のビルについても一定とすることになる。そして、例えば、達成領域割合Ｘに乗ずるクールビズ係数α1はクールビズの達成に対する評価ポイントが大きいため（α1 ＝ １０）とし、阻害領域割合はクールビズの達成に何ら寄与していないのであるから（α3 ＝ ０）とし、未達成領域割合は中間の領域であるから（α2 ＝ ５）とする。
【００３９】
ここで、図３に示す08年８月を例示して、クールビズ率Ｃの算出について説明する。
達成領域割合Ｘは14％であるので、クールビズ評価値Ｘcは、
Ｘc ＝ Ｘ×α1 ＝ 14×10 ＝ １４０                    （式３）
同様に、
Ｙc ＝ Ｙ×α2 ＝ 40×５ ＝ ２００                    （式４）
Ｚc ＝ Ｚ×α3 ＝ 46×０ ＝ ０                        （式５）
これらのクールビズ評価値を前記式１に代入すると、
クールビズ率 Ｃ ＝ １４０＋２００＋０／１０ ＝ ３４      （式６）
となり、クールビズ率が「C34」として取得される。
【００４０】
そして、前述したように取得されたクルービズ率Ｃを比較することで、該当する建物におけるクールビズの達成の程度を把握できて、改善の対策について吟味することができる。すなわち、図３に示す実施状況において、10年７月についいてのクールビズ率Ｃを参照すると、「C57」となっており、08年８月のクールビズ率「C34」に対して23ポイント上昇していることが把握でき、クールビズの達成の程度が向上している。なお、10年８月には「C50」となってポイントが低下したことが把握できる。また、図５に示すように、グラフ化することによってクールビズ率Ｃの変遷を容易に把握することができ、改善の余地の有無等の判断を迅速に行える。
【００４１】
以上の説明では、任意の建物についてのクールビズの達成程度を把握し、検証する場合について説明したが、複数の建物についてのクールビズ率の達成程度を比較する場合にも前記クールビズ率Ｃを利用することができる。
【００４２】
次に、図６と図７に基づいて、この発明に係るウォームビズの達成評価方法について説明する。
【００４３】
図６は図１に示すクールビズ率の評価を行った建物について同一の計測箇所における温度を計測した結果を示す表である。なお、本建物においては、暖房系統が少なく、17階と18階の第１ゾーンと第２ゾーンのみに暖房系統が利用されているのみである。そして、平均温度が21.0℃以下を達成温度領域、22℃を未達成温度領域、23.0℃以上を阻害温度領域とし、それぞれにウォームビズ係数β1、β2、β3を対応させ、それぞれの領域に含まれる測定箇所の割合をこれらウォームビズ係数β1、β2、β3に乗じて、ウォームビズ評価値Ｘw、Ｙw、Ｚwを算出し、これらウォームビズ評価値を、次式に代入してウォームビズ率Ｗを求める。
Ｗ：ウォームビズ率 ＝ （Ｘw＋Ｙw＋Ｚw）／10          （式２）
なお、図６に示す一覧表に示されているように、この建物の暖房領域においてはいずれのゾーンでもウォームビズが達成されていない。
【００４４】
また、図７は図６に示したそれぞれの温度領域に含まれる計測箇所数の割合を表す円グラフである。この建物においては暖房系統が少ないため、達成温度領域にある計測箇所の割合を示す範囲に斜線を描画し、その他の部分は何も描画していない。なお、達成温度領域と阻害温度領域については０％であるので、円グラフには現出しない。なお、便宜上、暖房系統無しの比率は、達成温度領域に加算し、その旨を特記する。
【００４５】
このウォームビズ率Ｗについても、他のビルにおけるウォームビズの達成程度を比較する指標とすることができ、また、任意のビルの前年同期間におけるウォームビズ率Ｗの変遷の判断の指標とすることもできる。
【産業上の利用可能性】
【００４６】
この発明に係るクールビズまたはウォームビズの達成評価方法によれば、クールビズまたはウォームビズの達成程度を容易に把握でき、建物の所有者が室内環境やエネルギー効率の改善の要否を容易に把握できるので、これらの改善の促進に寄与する。
【符号の説明】
【００４７】
Ｘ  達成領域割合
Ｙ  未達成領域割合
Ｚ  阻害領域割合
【図１】
0005521135.tif 000002
【図２】
0005521135.tif 000003
【図３】
0005521135.tif 000004
【図４】
0005521135.tif 000005
【図５】
0005521135.tif 000006
【図６】
0005521135.tif 000007
【図７】
0005521135.tif 000008